(57)【要約】【課題】対象物の外表面に貼付されたシートを確実に把持し、簡易な構造かつ軽い力でシートを対象物から分離し、その結果、環境に配慮し、さらに資源の再利用化を効率よく進めることを目標とする。【解決手段】本発明のシート剥離工具においては、バネ２、シート押さえ３により、シートの端部を挟んでかたく把持するとともに、対象物のシートの端部をバネ性本体部で固く把持した状態で取っ手部６を回転させることにより、シート剥離工具にそれほど力を加えることなく、容易に、対象物からシートを剥離させることができるという効果を奏する。【選択図】図１
2005053174.tif 000002
【特許請求の範囲】
【請求項１】
外表面に貼付されたシートを剥離する工具において、バネ性を有する本体部と前記本体を回転する取っ手部とを有し、前記本体部は前記シートの端部をバネ力をもって把持することを特徴とするシート剥離工具。
【請求項２】
シート剥離工具を用いて外表面上に貼付されたシートの剥離方法において、バネ部分に前記シートの端部を把持して巻き始めを形成する手順と、前記シート剥離工具の本体部に連接された取っ手部を回転して、前記シートを巻き取る手順とを含むことを特徴とするシート剥離方法。
【発明の詳細な説明】
【技術分野】
【０００１】
本発明は、例えばテレビジョン受像機やモニタ装置の外装などの外表面上に貼付されたシートを剥離する際に適用するシート剥離工具及び方法に関するものである。
【背景技術】
【０００２】
以前生産されていた木製の外装を有するテレビジョン受像器等が家電リサイクル法により消費者から製造者にもどされ、各種パーツはリサイクルされていくが、木製のキャビネット自体のリサイクルは、焼却して埋め立てられ、リサイクルされることがなく、その寿命が終えられることが多いのが現状である。また、焼却の際には、外装体にシートをつけたままではガスが発生し、環境にも大きな影響を与えるため、業者による引き取り条件も厳しくなってきている。
【０００３】
そのために最近では化粧木質材の分離方法として、例えば特許文献１のように、粉砕機などにより荒粉砕される荒粉砕工程、加熱する事により分離させる加熱分離工程、および比重の軽いものと重いものとを分別する比重分離工程よりなるものがある。
【０００４】
また、ブラウン管のフィルム剥離装置およびその剥離方法においては、特許文献２のようにフィルムの端部を挿入するスリット、その軸方向に略平行して周面に形成された円筒状の巻取り部、スリットの間隔を変位させることによりフィルムの端部を挟持する機構，巻取り部を回転させる回転部を有するものがある。
【特許文献１】特開２００３−８８８４４号公報
【特許文献２】特開２０００−３３４１８６号公報
【発明の開示】
【発明が解決しようとする課題】
【０００５】
しかしながら、今までのようにシートを貼付されたままの外装体では、リサイクルできず、埋め立てでも焼却でも環境に余分な負荷がかかってしまう。
【０００６】
また前記特許文献１では、荒粉砕工程、加熱分離工程、比重分離工程と作業時間がかかる上、装置が大掛かりになり、コストがかかってしまう。
【０００７】
一方、前記特許文献２では、巻き取り部のスリットの間隔を変位して、噛み込み歯でフィルムを噛み込み、端部を巻き付けるものだが、古くなったシートを噛み込むと、その部分に応力集中が生じてやぶれてしまい、作業を確実に行えない。
【０００８】
本発明は、上述の問題を解決するもので、シートを確実に把持し、簡易な構造で容易に分離した結果、資源の再利用化を進める事ができるシート剥離工具および方法を提供することを目的とする。
【課題を解決するための手段】
【０００９】
前記従来の課題を解決するために、本発明のシート剥離工具および方法は、バネ性本体部を有し、それによって対象物の外表面に貼付されたシートを確実に把持し、取っ手部を回転させて、軽い力でシートを剥離する。
【００１０】
本構成によって、簡易な工具で作業を確実に行い、コストもあまりかからず、環境負荷を少なくすることができる。
【発明の効果】
【００１１】
以上のように、本発明のシート剥離工具によれば、シートの端部をバネ性本体部で固く把持した状態で取っ手部を回転させることにより、それほど力を加えることなく容易にシートを剥離させることができる。
【発明を実施するための最良の形態】
【００１２】
以下、本発明の実施の形態について図面を参照しながら説明する。
【００１３】
（実施の形態１）
図１、図３、図４は、本発明の実施の形態１におけるシート剥離用工具の斜視図である。
【００１４】
図２は、この発明によるシート剥離用工具を用いて剥離作業を行う対象としての木製商品の外装を示す。図２に示すように木製商品の外表面には、化粧用のシート８が貼付されている。このシート８をこの発明による工具を用いて剥離除去することにより、木製商品の外装のリサイクル時において、シートが妨げにならないようにする。
【００１５】
図１に示すように、本体は、１のバネ支え板に取り付けられた２のバネと３のシート押さえなどのバネ性を有する本体部分とシートを巻き取るときに回転させる取っ手部を有している。
【００１６】
図３、図４では、シート剥離の作業工程を模式的に示す。これらの図を参照し、木製商品の外装表面上のシート剥離方法について、詳細に説明する。なお、図３、図４において、図１と同じ構成要素については同じ符号を用い、説明を省略する。
【００１７】
まず、図２の外装表面上のシート８の端部を少しめくり、シート８をめくるきっかけを作る。
【００１８】
次に、図３のように本体のバネ部分のはずし板７を押し、ひっかけ穴１０からひっかけ５をはずし、シート押さえ３と底板４にものが挟めるよう、バネ支え板１を支点に動かす。シート押さえ３と底板４の間にシート９をいれ、図４のように、バネ２を下ろして、シート押さえ３でシートを把持し、ひっかけ穴１０にひっかけ５を入れて動かないようにとめる。
【００１９】
シートがシート押さえ３でしっかり把持されたら、取っ手部６に力を加え、矢印方向に回転させながら、シート９を巻き取る。取っ手部６は、長いもち手を有しているため、回転モーメントが作用し、大きな力を加えることなく、容易にシートを剥離させることができる。巻いたシートは、取っ手部６の回転を止め、手の力をゆるめると、巻きがゆるくなり、図４の７をおさえてひっかけ穴１０からひっかけ５をはずすと、シート剥離工具からシート９がはずれる。
【００２０】
このようにして、木製商品の外装からシートがはずされ、外装がリサイクル可能な状態とされ、シートだけで集められ、環境への負荷が少なくなる。
【産業上の利用可能性】
【００２１】
本発明のシート剥離工具によれば、対象物のシートの端部をバネ性本体部で固く把持した状態で取っ手部を回転させることにより、それほど力を加えることなく容易にシートを剥離させることができるという効果を奏するものであり、表示装置の表面に貼られたフイルムや、キャビネットの表面に貼られた化粧フイルムなど、さまざまな製品に貼られたフイルム、シートなどの剥離に役立つものである。
【図面の簡単な説明】
【００２２】
【図１】本発明の実施の形態1におけるシート剥離工具の斜視図
【図２】この発明によるシート剥離用工具を用いて剥離作業を行う対象としての木製商品の外装の斜視図
【図３】本発明の実施の形態1におけるシート剥離工具の斜視図
【図４】本発明の実施の形態1におけるシート剥離工具の斜視図
【符号の説明】
【００２３】
１    バネ支え板
２    バネ
３    シート押さえ
４    底板
５    ひっかけ
６    取っ手部
７    はずし板
８、９    シート
１０    ひっかけ穴
【図１】
2005053174.tif 000003
【図２】
2005053174.tif 000004
【図３】
2005053174.tif 000005
【図４】
2005053174.tif 000006